(57)【要約】      （修正有）【課題】肉厚と材料コストの双方を抑えた、丈夫で変形し難く、外壁板を良好な姿勢で確実に支承し続ける、外壁板取付用ロングスターターを提供する。【解決手段】外壁板の下縁部を支承する支承板部４に斜上方に向けた角度を持たせ、また、支承板部４前端の立設板部７から支承板部４に至る面を折り返した２枚重ね構造にし、更に、この２枚重ねした下側の折返し面６を延設して、後方に向かうに従って下方に傾斜した突っ張り板部８を設けた。【選択図】図２
0003158896.tif 000002
【実用新案登録請求の範囲】
【請求項１】
建築物の土台前面に装着される装着板部と、該装着板部の下縁から前下方に向けた傾斜板部と、該傾斜板部の下縁から前方に向けた支承板部と、該支承板部の前端縁から斜め上前方に向けた立設板部と、該立設板部から前記装着板部下方位置まで後方に突出する突っ張り板部とを有し、
前記支承板部は、前方に向かうに従って若干斜め上方に傾斜し、
前記立設板部は、上方に向かうに従って前方に突出する傾斜角があり、
該立設板部は、その先端縁部から前面に重なる方向に折返され、この折返し面が更に前記支承板部の下面に重なり合って、前記立設板部と前記支承板部とが夫々２枚重ね構造になっており、
前記折返し面は、更に前記装着板部の下方位置まで延設して、前記突っ張り板部を形成していることを特徴とする、外壁板取付用ロングスターター。
【請求項２】
前記支承板部の若干斜め上方に向けた傾斜角は、水平方向に対して１０°±８°とされている、請求項１に記載の外壁板取付用ロングスターター。
【考案の詳細な説明】
【技術分野】
【０００１】  本考案は、建築物の外壁になる陶製パネル等の外壁板を、建築物の土台や下地材の前面に下受け支持する方法で取り付ける建築金具の一種である、外壁板取付用ロングスターター（単に、ロングスターターとも称する。）に関する。
【背景技術】
【０００２】  最近の一戸建て住宅等の建築物における外壁施工では、陶製パネル等の外壁板を突き合わせる方向に並べて取り付ける施工が行われる。
外壁板の取り付けでは、最初に最下段の外壁板を取り付け、その後、順に上段の外壁板を取り付ける。
最下段の外壁板の取り付けにおいては、先ず、建築物のコンクリート土台の上に横倒しした姿勢でボルトナット止めされた土台柱の前面に水切り金具を装着し、その後、この水切り金具の上部前方からロングスターターを装着し、このロングスターターで最下段の外壁板を下受け支承させる方法が採られる。【０００３】  公知技術の１つである特許文献１に記載のスターター金具（ロングスターター）３は、同文献の図１及び図２に示すように、建築構造躯体１０への取付面になる基板部３１と、外壁板２と建築構造躯体１０との間に通気層１１を設けるための前方屈曲部３２と、外壁板２の下縁部に当接してその後方移動を規制する当接板部３３と、外壁板２外壁板を載せて支承する支承板部３４と、支承板部３４の後方移動を規制する脚部３５と、脚部３５を設けるために切欠いた後に残った開口部３９とを有する。【０００４】  特許文献２に記載の長尺スターター金具（ロングスターター）Ａは、同文献第１頁目の要約欄によれば、建築物の土台部に固定される固定板部３と、固定板部３の上端から水平前方に延設した上板部２と、上板部２の前端から垂直下方に延設した前板部１と、固定板部３の下端から水平前方に延設した下板部４と、下板部４の前端から上方斜めに延設した係止部５とを備えており、下板部４は前板部１の下方位置よりも前方に広く延出している。
【先行技術文献】
【特許文献】
【０００５】
【特許文献１】特許第３７１１９７８号公報
【特許文献２】実用新案登録第３１２９２２１号公報
【考案の概要】
【考案が解決しようとする課題】
【０００６】  しかしながら、特許文献１に記載のスターター金具（ロングスターター）３は、支承板部３４の前方に外壁板２の下縁部の前方移動を規制するものがないため、外壁板２の下縁部を支承板部３４の上に載せた後、外壁板２が前方に位置ズレし易い。このため、位置ズレが進み外壁板２が支承板部３４から外れ落ちる危険性がある。
また、支承板部３４を下支えするものがないため、平坦な１枚板構造の支承板部３４は、外壁板２による荷重を長期間受け続けると、下方に撓むおそれがある。【０００７】  特許文献２に記載の長尺スターター金具（ロングスターター）Ａも、下板部４を下支えするものがないため、外壁板Ｃ１による荷重を長期間受け続けて、下板部４が下方に撓むのを防止するため、スターター金具Ａを肉厚の厚い金属板を用いて製造しなければならない。このため、スターター金具Ａの材料コストが高くついていた。【０００８】  本考案は、これらの不具合を解消するために提案されたものであり、外壁板の下縁部を支承する支承板部に斜上方に向けた角度を持たせ、また、支承板部前端の立設板部から支承板部に至る面を折り返した２枚重ね構造にし、更に、この２枚重ねした下側の折返し面を延設して、後方に向かうに従って下方に傾斜した突っ張り板部を設けて、
肉厚と材料コストの双方を抑えた、丈夫で変形し難く、外壁板を良好な姿勢で確実に支承し続ける、外壁板取付用ロングスターターを提供することを解決課題とする。
【課題を解決するための手段】
【０００９】  本考案の請求項１に係る外壁板取付用ロングスターターは、
建築物の土台前面に装着される装着板部と、該装着板部の下縁から前下方に向けた傾斜板部と、該傾斜板部の下縁から前方に向けた支承板部と、該支承板部の前端縁から斜め上前方に向けた立設板部と、該立設板部から前記装着板部下方位置まで後方に突出する突っ張り板部とを有し、
前記支承板部は、前方に向かうに従って若干斜め上方に傾斜し、
前記立設板部は、上方に向かうに従って前方に突出する傾斜角があり、
該立設板部は、その先端縁部から前面に重なる方向に折返され、この折返し面が更に前記支承板部の下面に重なり合って、前記立設板部と前記支承板部とが夫々２枚重ね構造になっており、
前記折返し面は、更に前記装着板部の下方位置まで延設して、前記突っ張り板部を形成しているところに特徴がある。【００１０】  請求項２に係る外壁板取付用ロングスターターは、更に、
前記支承板部の若干斜め上方に向けた傾斜角は、水平方向に対して１０°±８°とされている。
【考案の効果】
【００１１】  請求項１に係る外壁板取付用ロングスターターによれば、
前記支承板部を、前方に向かうに従って若干斜め上方に傾斜させ、前記立設板部を、上方に向かうに従って前方に突出する傾斜角を持たせ、該立設板部の先端縁部から前記支承板部の下面に向けて折り返して、該立設板部と支承板部を２枚重ね構造にした結果、長期間外壁板を支えるうちに、該立設板部と支承板部には下方に撓み易い状況になっても、支承板部の撓みを原因とする、外壁板の位置ズレや、危険な落下を防止することが出来るようになった。
そして、この２枚構造を形成している下面側の折返し面を、更に前記装着板部の下方位置まで延設して前記突っ張り板部を形成した結果、一層、耐荷重特性に優れ、外壁板を良好な姿勢で確実に支承し続ける、丈夫なロングスターターにすることが出来るようになった。
さらにこれらの結果、肉厚と材料コストの双方を抑えたロングスターターにすることが出来るようになった。【００１２】  請求項２に係る外壁板取付用ロングスターターによれば、
前記支承板部の若干斜め上方に向けた傾斜角を、水平方向に対して１０°±８°とした結果、支承板部の支承を良好な姿勢で確実にさせ、支承板部に撓みが発生することがあっても、水平位置までの範囲内に止めて、外壁板の支承を確実かつ良好に維持させることが出来るようになった。
【図面の簡単な説明】
【００１３】
【図１】本考案の実施形態の外壁板取付用ロングスターターを用いた建築物壁面構造を示した側面断面図。
【図２】本考案実施形態に係る外壁板取付用ロングスターターを一部破断して示した斜視図。
【図３】同じく一部破断して示した正面図。
【図４】図２におけるＡ−Ａ断面拡大図。
【図５】図２におけるＢ−Ｂ断面拡大図。
【図６】図１における要部拡大図。
【図７】外壁板取付用ロングスターターにおける好適な寸法例を示した側面拡大図。
【考案を実施するための形態】
【００１４】  本考案を実施するための形態は次の実施例により一層明確に理解されるであろう。
【実施例】
【００１５】  図１に示すように、建築施工において、地面上のコンクリート製の土台２０上に沿った位置に土台柱３０が固定される。そして、この土台柱３０の外側面に防水シート１００が取り付けられ、その外側面に下地材である野地板５０が取り付けられ、土台柱３０の下部外側面に水切り金具４０が取り付けられる。そして、その後、外壁施工が行われる。【００１６】  最近の外壁施工では、陶製パネル等からなる外壁板６０，６１を用いるのが主流であり、最初に最下段の外壁板６０を横方向に突き合わせる向きで取り付けられ、その後、順に、上段の外壁板６１が取り付けられる。
最下段の外壁板６０の取付施工では、先ず、土台柱３０の外側面に、水切り金具４０を挟んで、本考案の実施形態の外壁板取付用ロングスターター（以下、本考案実施形態のロングスターターと略称する。）１が、ビス及び／又は釘を用いて、水平な向きで取り付けられる。
そして、その後、このロングスターター１を利用して、最下段の外壁板６０が支持され、最下段の外壁板６０の上縁部に留付け金具７０を掛止めて、この留付け金具７０の上に、上段の外壁板６１の下縁部を支持させる方法で、上段の外壁板６１の取付施工が行われる。【００１７】  図２〜図５に示す本実施形態のロングスターター１は、建築物の土台柱３０の前面に装着される装着板部２と、装着板部２の下縁から前下方に向けた傾斜板部３と、傾斜板部３の下縁から前方に向けた支承板部４と、支承板部４の前端縁から斜め上前方に向けた立設板部７と、立設板部７から前記装着板部下方位置まで後方に突出する突っ張り板部８とを有する、横方向の長さが、例えば、３ｍ４７ｃｍ程度の長尺スターター金具である。【００１８】  装着板部２には、円形孔１０，１１が横方向に交互に等間隔毎に設けられて、ロングスターター１を土台柱３０に装着するさいにの、木ねじ８０や太寸の釘の挿通孔になる。
傾斜板部３の傾斜角は、例えば、水平方向に対して４５°であり、傾斜板部３の前後幅は、例えば、２０．５ｍｍである。
傾斜板部３には、縦方向の長孔からなる通気孔１２，１３が、横方向に所定間隔を置いて設けられている。
支承板部４と立設板部７は、図１に示すように、最下段の外壁板６０の下縁部を、前後方向に位置決めして支承（取り外し可能な状態に支える）ためにあり、立設板部７は、とくに最下段の外壁板６０の前後位置決めをして脱落防止する機能がある。【００１９】  とくに、支承板部４は、前方に向かうに従って若干斜め上方に傾斜しており、立設板部７が２枚重ね構造になるように、立設板部７の先端縁部が外側に折り返されている。６はその折返し面である。
そして、支承板部４が２枚重ね構造になるように、折返し面６が更に支承板部４の下面に重ねる方向に向けられて、この折返し面６が更に前記装着板部の下方位置まで後方に延設して、突っ張り板部８を形成している。【００２０】  図４に示すように、垂直姿勢に向けられた装着板部２に対する支承板部４の斜め上方に向けた傾斜角Ｒ１は、８０°±８°、別の言い方をすれば、支承板部４の水平方向に対する傾斜角Ｒ２が１０°±８°とされている。
突っ張り板部８も水平方向に対する傾斜角Ｒ２が１０°±８°の範囲内で、後方に向かうに従って下方に傾斜している。【００２１】  図６に示すように、外壁板６０の下縁部を支承して外壁板６０，６１による荷重を受けた状態が長期間続くと、支承板部４が下方（矢Ｆ１に示す方向）に撓んだり変形するなどの不具合が発生し易くなるが、支承板部４にこのように斜め上方に向けた傾斜角Ｒ１があり、後方に突っ張り板部８が設けられていると、このような不具合は、極めて生じ難くなる。とくに、立設板部７と支承板部４が２枚重ね構造になっていると、材料の肉厚を厚くしなくても、耐荷重応力を向上させた、材料コストを抑えたロングスターター１にすることができる。【００２２】  また、突っ張り板部８にも傾斜角を持たせたことによって、外壁板６０，６１による荷重を受けた状態が長期間続いても、矢Ｆ２方向に移動したり変形し難くなる。【００２３】  外壁板メーカーごとに、また外壁板の種類ごとに、外壁板の寸法、とくに、下縁部の寸法や形状に若干の違いがあり、このため、従来では、１種類のロングスターターで、複数種類の外壁板の下縁部を良好に支承するのが困難であったが、考案者は、鋭意・検討を重ね、度重なる試作品の製作を経て試験した結果、本考案実施形態のロングスターター１を、図７に示す寸法にすれば、複数種類の外壁板の下縁部を良好に支承することが判明した。
【産業上の利用可能性】
【００２４】  本考案のロングスターターは、肉厚と材料コストの双方を抑えた、丈夫で変形し難く、外壁板を良好な姿勢で確実に支承する。このため、建築施工等の分野において、材料コストが高い従来のロングスターターにとって代わる可能性が大である。
【符号の説明】
【００２５】  １    本実施形態のロングスターター
２    装着板部
３    傾斜板部
４    支承板部
７    立設板部
８    突っ張り板部
１０，１１  円形孔
２０    土台
３０    土台柱
４０    水切り金具
５０    野地板
６０    （最下段の）外壁板
６１    （上段の）外壁板
７０    留付け金具
８０    木ねじ
【図１】
0003158896.tif 000003
【図２】
0003158896.tif 000004
【図３】
0003158896.tif 000005
【図４】
0003158896.tif 000006
【図５】
0003158896.tif 000007
【図６】
0003158896.tif 000008
【図７】
0003158896.tif 000009